(57)【要約】      （修正有） 【課題】下痢の時でも、使い捨ておむつと体の間の隙間を狭くし、隙間からの便の漏れを防止することが可能な使い捨ておむつの提供する。【解決手段】おむつは、着用部材と、吸収部材と、ギャザー部材と、漏れ防止部材とを有する。着用部材は、尻当て部と、股下部と腹当て部とが一体に形成される。吸収部材は着用部材に設けられ、ギャザー部材は着用部材の周囲の一部に配設される。漏れ防止部材はギャザー部材に沿って配設され、着用部材に段差を形成する。【選択図】図１
0003156818.tif 000002
【実用新案登録請求の範囲】
【請求項１】
尻を覆う尻当て部と、前記尻当て部から延在し股下を覆う股下部と、前記股下部から延在し着用時に前記尻当て部と対向し腹部を覆う腹当て部とが一体に形成された着用部材と、
前記着用部材に設けられ排泄物を吸収する吸収部材と、
前記着用部材の周囲の少なくとも一部に配設され、当該おむつの使用者の体の一部分と当接し前記着用部材と前記体の一部分との間に隙間を生じ難くするギャザー部材と、
前記ギャザー部材の近傍に前記ギャザー部材に沿って配設され、前記着用部材に段差を形成する形状を有し着用時に前記体の一部分と当接して前記着用部材と前記体の一部分との間に隙間を狭くする漏れ防止部材とを有すること
を特徴とする使い捨ておむつ。
【請求項２】
前記漏れ防止部材は、略弓状、略矩形状、略くし形状、断面が略Ｈ形状又は断面が略コの字形状からなること
を特徴とする請求項１に記載の使い捨ておむつ。
【請求項３】
前記漏れ防止部材は、前記尻当て部及び前記股下部の少なくとも一方もしくは両方に配設されること
を特徴とする請求項１に記載の使い捨ておむつ。
【請求項４】
前記漏れ防止部材は、一面に複数の溝が形成された形状からなり、前記溝が便を押し止めるように配設されること
を特徴とする請求項１に記載の使い捨ておむつ。
【請求項５】
前記漏れ防止部材は、少なくとも一面に一本の溝が形成された形状からなり、前記溝が前記便を押し止めるように配設されること
を特徴とする請求項１に記載の使い捨ておむつ。
【請求項６】
前記漏れ防止部材は、両端にそれぞれ配設された紐と一体成型され、前記紐の一方の先端に前記紐の長さを調節する留め具を配設されること
を特徴とする請求項１に記載の使い捨ておむつ。
【請求項７】
前記漏れ防止部材は、両端にそれぞれ配設された紐と一体成型され、前記紐の先端に前記紐の長さを調節する面ファスナーをそれぞれ配設されること
を特徴とする請求項１に記載の使い捨ておむつ。
【考案の詳細な説明】
【技術分野】
【０００１】
本考案は、使い捨ておむつに関する。
【背景技術】
【０００２】
従来、排泄物の紙おむつからの漏れを防止するものとして、紙おむつに袋状の小便収容部及び半球状の大便収容部を設ける構成がある（例えば、特許文献１参照。）。
【先行技術文献】
【特許文献】
【０００３】
【特許文献１】特開平６―２９６６３９号公報
【考案の概要】
【考案が解決しようとする課題】
【０００４】
しかしながら、前述の構成では、紙おむつに袋状及び半球状の収容部を配設するため、紙おむつの形状が変わってしまい、着用時に足を動かし難くなることがあった。
【０００５】
また、従来の紙おむつでは、下痢の時に紙おむつと体の間に生じた隙間から、便が紙おむつに吸収されずに紙おむつの外部に漏れてしまうことがあった。この様に紙おむつの外部に便が漏れると、寝具等が汚れてしまうため、着用者だけではなく介護者等も不快感を感じることがあった。
【０００６】
そこで、本考案は前述の課題に鑑み、下痢の時でも、使い捨ておむつと体の間の隙間を狭くし、該隙間からの便の漏れを防止することが可能な使い捨ておむつの提供を目的とする。
【課題を解決するための手段】
【０００７】
前述の課題を解決すべく、本考案に係る使い捨ておむつは、尻を覆う尻当て部と、前記尻当て部から延在し股下を覆う股下部と、前記股下部から延在し着用時に前記尻当て部と対向し腹部を覆う腹当て部とが一体に形成された着用部材と、前記着用部材に設けられ排泄物を吸収する吸収部材と、前記着用部材の周囲の少なくとも一部に配設され、着用時に当接する体の一部分を付勢し前記着用部材と前記体の一部分との間に隙間を生じ難くするギャザー部材と、前記ギャザー部材の近傍に前記ギャザー部材に沿って配設され、前記着用部材に段差を形成する形状を有し着用時に前記体の一部分と当接して前記着用部材と前記体の一部分との間に隙間を狭くする漏れ防止部材とを有することを特徴とする。
【考案の効果】
【０００８】
本考案に係る使い捨ておむつによれば、下痢の時でも、使い捨ておむつと体の間の隙間を狭くし、該隙間からの便の漏れを防止することが可能である。
【図面の簡単な説明】
【０００９】
【図１】本考案の第１の実施形態に係る使い捨ておむつを示す斜視図である。
【図２】本考案の第１の実施形態に係る使い捨ておむつの着用動作を示す模式図であり、（ａ）は、使い捨ておむつを着用する前の状態を示す模式図、（ｂ）は、使い捨ておむつを着用している途中の状態を示す模式図、（ｃ）は、使い捨ておむつを着用した状態を示す模式      図である。
【図３】本考案の第１の実施形態に係る使い捨ておむつと従来の使い捨ておむつの着用時の状態を示す模式図であり、（ａ）は本考案の第１の実施形態に係る使い捨ておむつを着用した状態を示す模式図、（ｂ）は、従来の使い捨ておむつを着用した状態を示す模式図である。
【図４】本考案の第２の実施形態に係る使い捨ておむつを示す斜視図である。
【図５】本考案の第２の実施形態に係る漏れ防止部材を示す斜視図である。
【図６】本考案の第２の実施形態に係る使い捨ておむつを着用した状態を示す断面図であり、（ａ）は、使い捨ておむつを着用する前の状態を示す断面図、（ｂ）は、使い捨ておむつを着用した状態を示す断面図である。
【図７】本考案の第３の実施形態に係る漏れ防止部材を示す斜視図であり、（ａ）は、断面が略Ｈ形状からなる漏れ防止部材を示す斜視図、（ｂ）は、断面が略コの字形状からなる漏れ防止部材を示す斜視図である。
【図８】本考案の第３の実施形態に係る断面が略Ｈ形状の漏れ防止部材を配設された使い捨ておむつを着用した状態を示す断面図であり、（ａ）は、使い捨ておむつを着用する前の状態を示す断面図、（ｂ）は、使い捨ておむつを着用した状態を示す断面図である。
【図９】本考案の第４の実施形態に係る使い捨ておむつを示す斜視図である。
【図１０】本考案の第４の実施形態に係る使い捨ておむつの着用動作を示す模式図であり、（ａ）は、使い捨ておむつを着用する前の状態を示す模式図、（ｂ）は、使い捨ておむつを着用している途中の状態を示す模式図、（ｃ）は、使い捨ておむつを着用した状態を示す模式図である。
【図１１】本考案の第５の実施形態に係る使い捨ておむつを示す斜視図である。
【図１２】本考案の第５の実施形態に係る使い捨ておむつの着用動作を示す模式図であり、（ａ）は、使い捨ておむつを着用する前の状態を示す模式図、（ｂ）は、使い捨ておむつを着用している途中の状態を示す模式図、（ｃ）は、使い捨ておむつを着用した状態を示す模式図である。
【考案を実施するための形態】
【００１０】
以下、本考案の使い捨ておむつに係る好適な実施形態について、図面を参照しながら説明する。なお、本考案の使い捨ておむつは、以下の記述に限定されるものではなく、本考案の要旨を逸脱しない範囲において、適宜変更可能である。
【００１１】
［第１の実施形態］
本考案の第１の実施形態に係る使い捨ておむつ１００は、下痢の時でも、使い捨ておむつ１００と体の間の隙間が狭いことから、該隙間からの便の漏れを防止することが可能である。この様な使い捨ておむつ１００は、着用部材１０、吸収部材２０、ギャザー部材３０、背漏れ防止部材４０Ａ及び横漏れ防止部材４０Ｂから構成される。以下、使い捨ておむつ１００を構成する各構成部材について、例えば高齢者が着用するものとして、図１乃至３を参照しながら具体的に説明する。
【００１２】
使い捨ておむつ１００を構成する着用部材１０は、例えば高齢者が着用し、該高齢者の尻から腹部までを覆う部材である。着用部材１０の一面は、例えばポリプロピレンを繊維として用いた不織布からなり透水性を有し、他面は、例えばポリプロピレンを用いた防水シートからなり防水性を有する。また、防水シートは、例えば表面に直径がミクロン単位の穴を多数開けることにより、尿などの液体は通さずに空気を通すことにより通気性を確保することが可能である。この様な着用部材１０は、図１に示すように、尻当て部１１、股下部１２及び腹当て部１３からなり、これらは一体に形成されている。着用部材１０の尻当て部１１は、例えば高齢者が着用する際に、着用部材１０が外れないように固定するための取り付け具１１Ａ、１１Ｂ、１１Ｃ及び１１Ｄを有し、該高齢者の尻を覆うための部材である。また、着用部材１０の股下部１２は、尻当て部１１の一端から延在し、尻当て部１１の横幅と比較して、股下部１２の横幅は狭く形成されている。この様な着用部材１０の股下部１２は、例えば高齢者が着用した際に、該高齢者の股下を覆うための部材である。さらに、着用部材１０の腹当て部１３は、股下部１２から延在し、高齢者が着用する際に、尻当て部１１の取り付け具１１Ａ、１１Ｂ、１１Ｃ及び１１Ｄを用いて尻当て部１１と接合され、該高齢者の腹部を覆うための部材である。
【００１３】
また、使い捨ておむつ１００の吸収部材２０は、排泄物を吸収し、該排泄物が使い捨ておむつ１００の外部に漏れないよう保持するための部材である。この様な使い捨ておむつ１００の吸収部材２０は、例えばポリアクリル酸ナトリウムを高分子吸収体として利用し、該高分子吸収体と綿状パルプとを混合することにより構成されている。使い捨ておむつ１００の吸収部材２０は、例えば略Ｈ形状に形成され、着用部材１０の尻当て部１１から腹当て部１３にかけて、例えば着用部材１０に被覆されて設けられる。
【００１４】
また、使い捨ておむつ１００のギャザー部材３０は、例えば高齢者の体の一部分を当接することにより、該高齢者の体の一部分と着用部材１０の間に隙間が生じ難くし、該隙間からの排泄物の漏れを防止するための部材である。この様な使い捨ておむつ１００のギャザー部材３０は、例えばポリプロピレンを繊維として用いた不織布及びゴム等の伸縮性素材からなり、着用部材１０の尻当て部１１の腰が当接する部分又は着用部材１０の股下部１２の両脚が当接する部分に、例えば所定の大きさの不織布の端部を折り曲げ、例えばひだ状に形成される。
【００１５】
さらに、使い捨ておむつ１００の背漏れ防止部材４０Ａ及び横漏れ防止部材４０Ｂは、着用時に例えば高齢者の背中及び股下とそれぞれ当接し、着用部材１０と該高齢者の体との間の隙間を狭くすることにより、該隙間から便が漏れることを防止するための部材である。この様な使い捨ておむつ１００の背漏れ防止部材４０Ａ及び横漏れ防止部材４０Ｂは、例えばゴム、硬質紙材、不織布又はスポンジからなり、例えば長さ２０ｃｍ、幅２ｃｍ及び厚み１ｃｍの略弓状から形成される。また、使い捨ておむつ１００の背漏れ防止部材４０Ａは、着用部材１０の尻当て部１１に設けられたギャザー部材３０に沿って、例えば接着剤を用いて接着されて設けられている。さらに、使い捨ておむつ１００の横漏れ防止部材４０Ｂは、着用部材１０の股下部１２の左右両端に設けられたギャザー部材３０に沿って、例えば接着剤を用いて接着されて設けられている。
【００１６】
なお、使い捨ておむつ１００の背漏れ防止部材４０Ａ及び横漏れ防止部材４０Ｂは、従来の使い捨ておむつに容易に設けることができる。例えば従来の使い捨ておむつに、背漏れ防止部材４０Ａ及び横漏れ防止部材４０Ｂをギャザー部材３０の近傍に、ギャザー部材３０に沿って接着して固定する方法がある。背漏れ防止部材４０Ａの製造方法は、具体的には、従来の使い捨ておむつに、接着剤を塗布された背漏れ防止部材４０Ａをコレットを用いて背漏れ防止部材４０Ａを収容したカートリッジから一個ずつ吸着し、図示せぬ作業台に載置された従来の使い捨ておむつの尻当て部１１及び股下部１２に配設されたギャザー部材３０近傍の上まで搬送する。その後、漏れ防止部材４０を吸着したコレットをギャザー部材３０近傍且つ着用部材１０の吸収部材２０の被覆されている側に押下し、背漏れ防止部材４０Ａの吸着を停止する。コレットを背漏れ防止部材４０Ａから離間すると、コレットから離れた背漏れ防止部材４０Ａが、着用部材１０の尻当て部１１及び股下部１２に配設されたギャザー部材３０に沿って接着され固定される。図示せぬコレットには、背漏れ防止部材４０Ａを吸着するための背漏れ防止部材４０Ａの形状に合わせた溝及び吸着孔が設けられ、例えば真空ポンプ等を用いて吸着孔内を減圧することにより、背漏れ防止部材４０Ａを吸着し固定することが可能である。また、コレットの移動には、水平方向及び高さ方向に例えば電動モーターを用いて駆動可能な図示せぬ移動ステージを用いる。
【００１７】
ここで、本考案の第１の実施形態に係る使い捨ておむつ１００についても、従来の使い捨ておむつと同様の方法により、例えば高齢者が着用することができる。以下、本考案の第１の実施形態に係る使い捨ておむつ１００の着用方法について、図２を参照しながら説明する。具体的には、まず、図２（ａ）に示すように、寝具等の上に使い捨ておむつ１００を広げて置き、該使い捨ておむつ１００に、着用部材１０の股下部１２が高齢者の両脚の間に来るように高齢者の体を載せる。この時、着用部材１０の尻当て部１１の取り付け具１１Ａ、１１Ｂ、１１Ｃ及び１１Ｄが、高齢者の体の左右の外側となるように、例えば使い捨ておむつ１００の位置を調整する。次に、図２（ｂ）に示すように、拡げられている使い捨ておむつ１００の着用部材１０の腹当て部１３を上方に持ち上げて折り曲げ、高齢者の腹部を覆うように、着用部材１０の腹当て部１３を該腹部に密着させる。この時、着用部材１０の股下部１２は、高齢者の股下に当接するように折り曲げられる。
【００１８】
その後、腹部に当接された腹当て部１３に重なるように、高齢者の体から左右にはみ出している着用部材１０の尻当て部１１の右側を折り曲げ、尻当て部１１の取り付け具１１Ａ及び１１Ｂを用いて、腹部に当接された腹当て部１３と尻当て部１１の右側を止める。この時、着用部材１０の股下部１２に接着された横漏れ防止部材４０Ｂは、折り曲げられた股下部１２及び腹当て部１３の形状に合わせて曲げられており、右脚周りの略半周と当接している。他方の横漏れ防止部材４０Ｂは、折り曲げられた股下部１２の形状に合わせて、漏れ防止部材４０の一端が曲がっている。また、着用部材１０の尻当て部１１に接着された背漏れ防止部材４０Ａは、折り曲げられた尻当て部１１の右側の形状に合わせて曲げられ、高齢者の腰の右側から中央部分に当接している。さらに、図２（ｃ）に示すように、着用部材１０の尻当て部１１の左側を折り曲げ、尻当て部１１の取り付け具１１Ｃ及び１１Ｄを用いて、腹部に当接された腹当て部１３と尻当て部１１の左側を止める。この動作によって、左脚周りの略半周と股下部１２に接着された横漏れ防止部材４０Ｂが当接し、尻当て部１１に接着された背漏れ防止部材４０Ａが折り曲げられ、高齢者の腰の左側が当接する。以上の動作によって、本考案の第１の実施形態に係る使い捨ておむつ１００は、高齢者でも着用することが可能である。
【００１９】
ここで、本考案の第１の実施形態に係る使い捨ておむつ１００と従来の使い捨ておむつの着用時の差異について、図３を参照しながら説明する。本考案の第１の実施形態に係る使い捨ておむつ１００を着用した際は、図３（ａ）に示すように、着用部材１０の尻当て部１１に配設された背漏れ防止部材４０Ａ及び着用部材１０の股下部１２に配設された横漏れ防止部材４０Ｂによって、高齢者の体と着用部材１０との間の隙間を狭くすることが可能である。高齢者の体と着用部材１０との間の隙間を狭くすることにより、下痢の時に便が該隙間から流出することを防止することが可能である。一方、従来の使い捨ておむつを着用した際は、図３（ｂ）に示す状態になっており、下痢の時に高齢者の体の一部と着用部材１０の間の隙間が生じ、該隙間から便が流出してしまう。なお、従来の使い捨ておむつの着用部材１０の尻当て部１１及び股下部１２に配設されたギャザー部材３０により、通常の排泄物の漏れを防止することは可能である。
【００２０】
以上、本考案の第１の実施形態に係る使い捨ておむつ１００によれば、着用部材１０のギャザー部材３０に沿って、背漏れ防止部材４０Ａ及び横漏れ防止部材４０Ｂが配設されている。このため、例えば高齢者が使い捨ておむつ１００を着用した際に、背漏れ防止部材４０Ａ及び横漏れ防止部材４０Ｂと高齢者の体が当接することにより、高齢者と着用部材１０の間の隙間を狭くすることができる。したがって、使い捨ておむつ１００は、下痢の時でも、便の隙間からの漏れを防止することができる。
【００２１】
［第２の実施形態］
本考案の第２の実施形態に係る使い捨ておむつ１１０は、一面に複数の溝を設けた背漏れ防止部材５０Ａ及び横漏れ防止部材５０Ｂを着用部材１０に配設することにより、例えば高齢者と着用部材１０の間の隙間を狭くし、下痢の時に便の漏れを防止することを特徴とする。
【００２２】
以下、本考案の第２の実施形態に係る使い捨ておむつ１１０について説明する。なお、本実施形態における背漏れ防止部材５０Ａ及び横漏れ防止部材５０Ｂ以外の使い捨ておむつ１１０に係る構成は、前述の第１の実施形態で述べた使い捨ておむつ１００の構成と同様である。そこで、本実施形態では、重複した説明は省略し、背漏れ防止部材５０Ａ及び横漏れ防止部材５０Ｂについて説明する。以下、背漏れ防止部材５０Ａ及び横漏れ防止部材５０Ｂについて、図４乃至６を用いて説明する。
【００２３】
背漏れ防止部材５０Ａ及び横漏れ防止部材５０Ｂは、使い捨ておむつ１１０の着用部材１０に配設され、例えば高齢者が着用した際に該高齢者と着用部材１０の間の隙間を狭くし、下痢の時に該隙間から便が漏れることを防止するための部材である。この様な背漏れ防止部材５０Ａ及び横漏れ防止部材５０Ｂは、図４に示すように着用部材１０の尻当て部１１及び股下部１２に配設されたギャザー部材３０に沿ってそれぞれ配設され、図５に示すように、それぞれ一面に複数の凸部５１及び凹部５２が形成されている。また、尻当て部１１のギャザー部材３０に沿って配設された背漏れ防止部材５０Ａは、高齢者が着用部材１０を着用した際に、設けられた凸部５１及び凹部５２が、着用部材１０の股下部１２を向くように配設される。さらに、股下部１２のギャザー部材３０に沿って配設された一対の横漏れ防止部材５０Ｂは、高齢者が着用部材１０を着用した際に、横漏れ防止部材５０Ｂの凸部５１及び凹部５２が対向するように配設される。この様な横漏れ防止部材５０Ｂは、例えばゴム、硬質紙材、不織布又はスポンジからなり、股下部１２に配設された横漏れ防止部材５０Ｂは、図５に示すように、例えば長さ２０ｃｍ、幅２ｃｍ及び厚み１ｃｍ、且つ横漏れ防止部材５０Ｂの一面に複数の凸部５１及び凹部５２を設けられた略くし形状に形成される。
【００２４】
背漏れ防止部材５０Ａ及び横漏れ防止部材５０Ｂを着用部材１０の尻当て部１１及び股下部１２にそれぞれ配設された使い捨ておむつ１１０を、高齢者が着用した状態について、図６を参照しながら説明する。高齢者が、背漏れ防止部材５０Ａ及び横漏れ防止部材５０Ｂを配設した使い捨ておむつ１１０を着用する前は、図６（ａ）に示すように、例えば使い捨ておむつ１１０の着用部材１０の尻当て部１１及び股下部１２に、この様な背漏れ防止部材５０Ａ及び横漏れ防止部材５０Ｂが配設され着用部材１０に段差を形成している。また、使い捨ておむつ１１０を高齢者が着用した状態では、図６（ｂ）に示すように、着用部材１０に配設された背漏れ防止部材５０Ａ及び横漏れ防止部材５０Ｂが、高齢者の一部分と当接している。この時、尻当て部１１に配設された背漏れ防止部材５０Ａの凸部５１及び凹部５２が、股下部１２を向くように配設されている。また、股下部１２に配設された一対の横漏れ防止部材５０Ｂは、凸部５１及び凹部５２が対向するよう配設されている。この様に背漏れ防止部材５０Ａ及び横漏れ防止部材５０Ｂが配設された使い捨ておむつ１１０を着用した場合、該高齢者の体の一部分と着用部材１０との間の隙間を狭くすることにより、下痢の時に便が該隙間から漏れることを防止することが可能である。
【００２５】
なお、一面に複数の凸部５１Ａ及び凹部５１Ｂを設けた背漏れ防止部材５０Ａ及び横漏れ防止部材５０Ｂの製造方法として、カッターを用いた切削加工や、金型を用いた成型加工等がある。例えばカッターを用いた切削加工により、例えば背漏れ防止部材５０Ａを製造する場合について、説明する。例えば所定の形状からなる材料に対して、図示せぬ所定の間隔で複数の刃が配設された複数刃のカッターを当てて、所定の深さまで切削することにより所定の深さの凸部５１Ａ及び凹部５１Ｂを有する加工部材を形成する。その後、該加工部材を所定の厚み及び所定の長さに切断することにより、一面に複数の凸部５１Ａ及び凹部５１Ｂを有するより背漏れ防止部材５０Ａを形成する。また、切削加工により、例えば背漏れ防止部材５０Ａを製造する場合、複数刃のカッターを所定の略弓状の材料の上面に対して、法線方向から当てて切削すれば良い。
【００２６】
以上、本考案の第２の実施形態に係る使い捨ておむつ１１０によれば、背漏れ防止部材５０Ａ及び横漏れ防止部材５０Ｂが、尻当て部１１及び股下部１２にそれぞれ配設されることにより、高齢者と着用部材１０の間の隙間を狭くしている。このため、高齢者が下痢の時でも、高齢者の体と着用部材１０の間の隙間から、便が使い捨ておむつ１１０の外部へ漏れることを防止することができる。また、下痢の時に流出してくる便を背漏れ防止部材５０Ａ及び横漏れ防止部材５０Ｂにそれぞれ形成された複数の凸部５１Ａ及び凹部５１Ｂで受け止めることにより流出する便の勢いを弱め、高齢者と着用部材１０の間の隙間からの便の漏れを防止することができる。したがって、使い捨ておむつ１１０は、下痢の時でも、使い捨ておむつ１１０の着用部材１０と高齢者の体との間の隙間から、便が流出することを防止することができる。
【００２７】
［第３の実施形態］
本考案の第３の実施形態に係る使い捨ておむつ１２０は、断面が略Ｈ形状の背漏れ防止部材６０Ａ、横漏れ防止部材６０Ｂ又は断面がコの字形状の漏れ防止部材６１を着用部材１０の尻当て部１１及び股下部１２に配設することにより、高齢者と着用部材１０の間の隙間を狭くし、便の漏れを防止することを特徴とする。
【００２８】
以下、本考案の第３の実施形態に係る使い捨ておむつ１２０について説明する。なお、本実施形態における背漏れ防止部材６０Ａ、横漏れ防止部材６０Ｂ及び漏れ防止部材６３以外の使い捨ておむつ１２０に係る構成は、前述の第１及び第２の実施形態で述べた使い捨ておむつの構成と同様である。そこで、本実施形態では、重複した説明は省略し、背漏れ防止部材６０Ａ、横漏れ防止部材６０Ｂ及び漏れ防止部材６３について説明する。以下、背漏れ防止部材６０Ａ、横漏れ防止部材６０Ｂ又は漏れ防止部材６３について、図７及び８を用いて説明する。
【００２９】
背漏れ防止部材６０Ａ、横漏れ防止部材６０Ｂ又は漏れ防止部材６３は、使い捨ておむつ１２０の着用部材１０に配設され、高齢者が着用した際に、該高齢者の体と着用部材１０の間の隙間を狭くすることにより、下痢の時に該隙間から便が漏れることを防止するための部材である。この様な背漏れ防止部材６０Ａ、横漏れ防止部材６０Ｂ又は漏れ防止部材６３は、使い捨ておむつ１２０の着用部材１０の尻当て部１１及び股下部１２に配設される。着用部材１０の尻当て部１１に配設された背漏れ防止部材６０Ａは、高齢者が着用部材１０を着用した際に、背漏れ防止部材６０Ａに形成された凸部６１及び凹部６２が股下部１２を向くように配設される。
【００３０】
また、着用部材１０の尻当て部１１に配設された一対の横漏れ防止部材６０Ｂは、高齢者が着用部材１０を着用した際に、凸部６１Ｂ及び凹部６２Ｂが対向するように配設される。この様な背漏れ防止部材６０Ａ及び横漏れ防止部材６０Ｂは、例えばゴム、硬質紙材、不織布又はスポンジからなり、図７（ａ）に示すように、例えば長さ２０ｃｍ、幅２ｃｍ及び厚み１ｃｍ、且つ一面の左右に凸部６１Ａ、６１Ｂ及び凹部６２Ａ、６２Ｂが形成され断面が略Ｈ形に形成される。同様に、漏れ防止部材６３は、着用部材１０の尻当て部１１及び股下部１２に配設されている。尻当て部１１に配設された漏れ防止部材６３は、形成された凸部６４及び凹部６５が股下部１２を向き、股下部１２に配設された漏れ防止部材６３は形成された凸部６４及び凹部６５が対向する。この様な漏れ防止部材６３は、例えばゴム、硬質紙材、不織布又はスポンジからなり、図７（ｂ）に示すように、例えば長さ２０ｃｍ、幅２ｃｍ及び厚み１ｃｍ、且つ一面に凸部６４及び凹部６５が形成され断面がコの字形に形成される。
【００３１】
ここで、着用部材１０に背漏れ防止部材６０Ａ及び横漏れ防止部材６０Ｂが配設された使い捨ておむつ１１０を高齢者が着用した状態について、図８を参照しながら説明する。高齢者が背漏れ防止部材６０Ａ及び横漏れ防止部材６０Ｂが配設された使い捨ておむつ１２０を着用する前の状態は、図８（ａ）に示すように、使い捨ておむつ１２０の着用部材１０に、背漏れ防止部材６０Ａ及び横漏れ防止部材６０Ｂが配設され段差を形成している。この時、股下部１２の左右の横漏れ防止部材６０Ｂの凸部６１Ｂ及び凹部６２Ｂは、対向するように配設されている。また、背漏れ防止部材６０Ａは、背漏れ防止部材６０Ａの凸部６１Ａ及び凹部６２Ａが、股下部１２を向くように尻当て部１１に配設されている。次に、高齢者が使い捨ておむつ１２０を着用した状態では、図８（ｂ）に示すように、背漏れ防止部材６０Ａ及び横漏れ防止部材６０Ｂが、高齢者の体の一部分と当接する。この様に、背漏れ防止部材６０Ａ及び横漏れ防止部材６０Ｂと高齢者の体の一部分が当接することにより、高齢者の体の一部分と着用部材１０との間の隙間が狭くなることにより、下痢の時に便が該隙間から漏れることを防止することが可能である。
【００３２】
なお、少なくとも一面に溝を設けた断面が略Ｈ形状又は断面がコの字形状に形成された背漏れ防止部材６０Ａ及び横漏れ防止部材６０Ｂ又は漏れ防止部材６１の製造方法として、カッターを用いた切削加工や、口金を用いた押し出し成型等がある。例えば、カッターを用いた切削加工により断面が略Ｈ形状の背漏れ防止部材６０Ａを製造する場合、図示せぬ搬送経路上を搬送される、例えば所定の略板状からなる材料の両側に搬送経路に対して水平方向にカッターを当てて、所定の深さまで切削することにより所定の深さの凹凸を有する加工部材を形成する。その後、加工部材を所定の長さに切断することにより、凸部６０Ａ及び凹部６０Ｂを有する背漏れ防止部材６０Ａを形成する。また、押し出し成型により漏れ防止部材６０を製造する場合、例えば所定の軟度のゴムを流す管の出口部分に、凸部６０Ａ及び凹部６０Ｂを有する略Ｈ形状の口金を取り付け、ゴムを流し出すことにより、断面が略Ｈ形状の加工部材を形成する。加工部材を所定の長さに切断することにより、背漏れ防止部材６０Ａを形成する。口金を用いる押し出し成型により漏れ防止部材６０を製造する場合は所定の形状の口金が必要であるが、金型を用いて成型する部材が、断面が略Ｈ形状でも背漏れ防止部材４０Ａ及び横漏れ防止部材４０Ｂの様な略弓状での部材でも、製造コスト等は同等である。
【００３３】
以上、本考案の第３の実施形態に係る使い捨ておむつ１２０によれば、背漏れ防止部材６０Ａ、横漏れ防止部材６０Ｂ又は漏れ防止部材６１が着用部材１０に配設されることにより、着用時に高齢者と背漏れ防止部材６０Ａ、横漏れ防止部材６０Ｂ又は漏れ防止部材６１が当接して、高齢者と着用部材１０の隙間を狭くしている。このため、下痢の時に高齢者の体と着用部材１０の間の隙間から、便が使い捨ておむつ１２０の外部へ漏れることを防止することができる。また、流出してくる便を背漏れ防止部材６０Ａ、横漏れ防止部材６０Ｂに形成された凸部６１Ａ，６１Ｂ及び凹部６２Ａ、６２Ｂで受け止めることにより、下痢のときでも流出する便の勢いが弱まり、便が漏れにくくなる。同様に、漏れ防止部材６１に形成された凸部６４及び凹部６５で便を受け止めることにより、下痢の時でも流出する便の勢いが弱まり、便が漏れにくくなる。また、背漏れ防止部材６０Ａ、横漏れ防止部材６０Ｂ又は漏れ防止部材６１は、凸部６１Ａ、６１Ｂ、６４が高齢者の体の一部に当接し着用部材１０に配設されているため、便が皮膚に付着することを防止することが可能である。したがって、使い捨ておむつ１２０は、下痢の時でも使い捨ておむつ１２０の着用部材１０と高齢者の体との間の隙間から、便が流出することを防止することができる。
【００３４】
［第４の実施形態］
本考案の第４の実施形態に係る使い捨ておむつ１３０は、二本の紐と一体成型された背漏れ防止部材７０Ａ及び横漏れ防止部材７０Ｂを着用部材１０に配設することにより、高齢者と着用部材１０の間の隙間を狭くし、便の漏れを防止することを特徴とする。
【００３５】
以下、本考案の第４の実施形態に係る使い捨ておむつ１３０について説明する。なお、本実施形態における背漏れ防止部材７０Ａ及び横漏れ防止部材７０Ｂ以外の使い捨ておむつ１３０に係る構成は、前述の第１乃至第３の実施形態で述べた使い捨ておむつの構成と同様である。そこで、本実施形態では、重複した説明は省略し、背漏れ防止部材７０Ａ及び横漏れ防止部材７０Ｂについて説明する。以下、背漏れ防止部材７０Ａ及び横漏れ防止部材７０Ｂについて、図９及び１０を用いて説明する。
【００３６】
背漏れ防止部材７０Ａは、着用部材１０に段差を形成し、且つ背漏れ防止部材７０Ａの紐７２Ａ及び７３Ａを締めて高齢者の体と着用部材１０の間の隙間を狭くすることにより、該隙間から便が漏れることを防止するための部材である。同様に、横漏れ防止部材７０Ｂは、着用部材１０に段差を形成し、且つ横漏れ防止部材７０Ｂの紐７２Ｂ及び７３Ｂを締めて高齢者の体と着用部材１０の間の隙間を狭くすることにより、該隙間から便が漏れることを防止するための部材である。この様な背漏れ防止部材７０Ａ及び横漏れ防止部材７０Ｂは、図９に示すように着用部材１０の尻当て部１１及び股下部１２に配設され、例えばゴム、硬質紙材、不織布又はスポンジからなり、例えば長さ２０ｃｍ、幅２ｃｍ及び厚み１ｃｍの略弓状から形成され、紐７２Ａ、７２Ｂ、７３Ａ及び７３Ｂの一方に留め具７１が配設されている。
【００３７】
なお、紐７２Ａ，７２Ｂ、７３Ａ及び７３Ｂと一体成型された背漏れ防止部材７０Ａ及び横漏れ防止部材７０Ｂの製造方法として、射出成型機を用いた成型加工がある。例えば横漏れ防止部材７０Ｂを成型加工によって製造する場合、加工面が、例えば中央部分が略弓状からなり、該中央部分の両端に所定の長さの紐状部分を有する金型を利用する。ここで、紐を通すための留め具７１も同様にして、所定の形状の金型を用いて成型する。次に、加工部材の一方の紐を留め具７１に通すことにより、二本の紐７２及び７３と一体成型され、たとえば紐７３の先端に留め具７１を有する漏れ防止部材７０が形成される。
【００３８】
ここで、本考案の第４の実施形態に係る使い捨ておむつ１３０についても、従来の使い捨ておむつと同様の方法で、例えば高齢者が着用することが可能である。以下、本考案の第４の実施形態に係る使い捨ておむつ１３０の着用方法について、図１０を参照しながら説明する。まず、図１０（ａ）に示すように、高齢者の下に使い捨ておむつ１３０を、使い捨ておむつ１３０の着用部材１０の股下部１２が、高齢者の両脚の間に来るように敷く。この時、使い捨ておむつ１３０の着用部材１０に配設された背漏れ防止部材７０Ａ及び横漏れ防止部材７０Ｂの紐７２Ａ，７２Ｂ、７３Ａ及び７３Ｂが、高齢者の体の左右の外側となるように、例えば使い捨ておむつ１３０の位置を調整する。次に、図１０（ｂ）に示すように、拡げられた使い捨ておむつ１３０の着用部材１０の腹当て部１３を上方に持ち上げて、高齢者の腹部を覆うように当接させる。この時、着用部材１０の股下部１１は、高齢者の股下に当接するように折り曲げる。また、着用部材１０の股下部１２に配設された、例えば右の横漏れ防止部材７０Ｂの紐７２Ｂ及び７３Ｂは、例えば紐７３Ｂの先端に配設された留め具７１に紐７２Ｂを通し、留め具７１の位置を調整することにより、着用部材１０の股下部１２の端部と高齢者の体との間の隙間を狭める。その後、腹部に当接した腹当て部１３に重ねるように、着用部材１０の尻当て部１１の右側を折り曲げ、尻当て部１１の取り付け具１１Ａ及び１１Ｂを用いて腹部に当接された腹当て部１３と尻当て部１１の右側を止める。
【００３９】
また、着用部材１０の股下部１２に配設された、例えば左の横漏れ防止部材７０Ｂは、折り曲げられた股下部１２の形状に合わせて曲げられ、左脚周りの略半周と当接している。着用部材１０の尻当て部１１に配設された背漏れ防止部材７０Ａは、例えば折り曲げられた右側の尻当て部１１の形状に合わせて曲げられ、高齢者の腰の右側から中央部分に当接する。さらに、図１０（ｃ）に示すように、着用部材１０の尻当て部１１の左側を折り曲げ、尻当て部１１の取り付け具１１Ｃ及び１１Ｄを用いて、腹部に当接した腹当て部１３と尻当て部１１とを止めることにより、着用部材１０が高齢者に着用される。背漏れ防止部材７０Ａの紐７３Ａの先端の留め具７１に紐７２Ａを通し、留め具７１の位置を調整することにより、着用部材１０と高齢者の体の間の隙間を狭くすることが可能である。また、着用部材１０の股下部１２の左の横漏れ防止部材７０Ｂは、横漏れ防止部材７０Ｂの紐７３Ｂの先端の留め具７１に紐７２Ｂを通し、留め具７１の位置を調整することにより、着用部材１０と高齢者の体との間の隙間を狭くすることが可能である。以上の動作によって、本考案の第４の実施形態に係る使い捨ておむつ１３０は、高齢者が着用することが可能である。
【００４０】
以上、本考案の第４の実施形態に係る使い捨ておむつ１３０によれば、背漏れ防止部材７０Ａ及び横漏れ防止部材７０Ｂが使い捨ておむつ１３０の尻当て部１１及び股下部１２に配設されることにより、高齢者と着用部材１０の間の隙間を狭くしている。また、背漏れ防止部材７０Ａ及び横漏れ防止部材７０Ｂの紐７２Ａ，７２Ｂ、７３Ａ及び７３Ｂを留め具７１を用いて締めることにより、着用部材１０と高齢者の体の間の隙間をより狭くすることができる。このことにより、下痢の時でも、便が着用部材１０と高齢者の体の間の隙間から、使い捨ておむつ１３０の外側に漏れることを防止することができる。また、富め具１を用いて、紐７２Ａ，７２Ｂ、７３Ａ及び７３Ｂを締めることにより、様々な体型の高齢者が着用することができる。したがって、使い捨ておむつ１３０は、下痢の時でも使い捨ておむつ１３０の着用部材１０と高齢者の体との間の隙間から、便が流出することを防止することができる。
【００４１】
［第５の実施形態］
本考案の第５の実施形態に係る使い捨ておむつ１４０は、両端に紐をそれぞれ有し、紐の先端に面ファスナー８１Ａ及び８１Ｂが配設された背漏れ防止部材８０Ａ及び横漏れ防止部材８０Ｂを着用部材１０に配設することにより、例えば高齢者と着用部材１０の間の隙間を狭くし、便の漏れを防止することを特徴とする。
【００４２】
以下、本考案の第５の実施形態に係る使い捨ておむつ１４０について説明する。なお、本実施形態における背漏れ防止部材８０Ａ及び横漏れ防止部材８０Ｂ以外の使い捨ておむつ１４０に係る構成は、前述の第４の実施形態で述べた使い捨ておむつの構成と同様である。そこで、本実施形態では、重複した説明は省略し、背漏れ防止部材８０Ａ及び横漏れ防止部材８０Ｂについて説明する。以下、背漏れ防止部材８０Ａ及び横漏れ防止部材８０Ｂについて、図１１及び１２を用いて説明する。
【００４３】
背漏れ防止部材８０Ａは、着用部材１０に段差を形成し、且つ背漏れ防止部材８０Ａの紐８２Ａ及び８３Ａを、使い捨ておむつ１４０を着用した際に締めることにより、例えば高齢者と着用部材１０の間の隙間を狭くし、該隙間から便が漏れることを防止するための部材である。この様な背漏れ防止部材８０Ａは、図１１に示すように着用部材１０の尻当て部１１に配設され、例えばゴム、硬質紙材、不織布又はスポンジからなり、例えば長さ２０ｃｍ、幅２ｃｍ及び厚み１ｃｍの略弓状から形成され、紐８２Ａ及び８３Ａの先端に面ファスナー８１Ａ及び８１Ｂがそれぞれ配設されている。同様に、横漏れ防止部材８０Ｂは、着用部材１０に段差を形成し、横漏れ防止部材８０Ｂの紐８２Ｂ及び８２Ｂを着用時に締めることにより、例えば高齢者と着用部材１０の間の隙間を狭くし、該隙間から便が漏れることを防止するための部材である。この様な横漏れ防止部材８０Ｂは、図１１に示すように着用部材１０の股下部１２の左右に配設され、例えばゴム、硬質紙材、不織布又はスポンジからなり、例えば長さ２０ｃｍ、幅２ｃｍ及び厚み１ｃｍの略弓状から形成され、紐８２Ｂ及び８３Ｂの先端に面ファスナー８１Ａ及び８１Ｂがそれぞれ配設されている。
【００４４】
なお、二本の紐８２Ａ，８２Ｂ及び８３Ａ、８３Ｂと一体成型された背漏れ防止部材８０Ａ及び横漏れ防止部材８０Ｂの製造方法として、射出成型機を用いた成型加工がある。成型加工によって、例えば横漏れ防止部材８０Ｂを製造する場合、漏れ防止部材７０と同様に、加工面が、例えば中央部分が略弓状からなり、該中央部分の両端に所定の長さの紐状部分を有する金型を利用する。ここで、例えばポリプロピレンフィルムからなる面ファスナー８１Ａ及び８１Ｂを、所定の形状にカッター等を用いて切断し成型する。この後、二本の紐８２及び８３の先端に面ファスナー８１Ａ及び８１Ｂを、例えば接着剤を用いて接着して固定することにより、両端の二本の紐８２Ｂ及び８３Ｂと一体成型され、紐８２Ｂ及び８３Ｂのそれぞれの先端に面ファスナー８１Ａ及び８１Ｂを有する漏れ防止部材８０を形成する。
【００４５】
ここで、本考案の第５の実施形態に係る使い捨ておむつ１４０についても、従来の使い捨ておむつと同様の方法で、例えば高齢者が着用することが可能である。以下、本考案の第５の実施形態に係る使い捨ておむつ１４０の着用方法について、図１２を参照しながら説明する。高齢者が使い捨ておむつ１４０を着用する際には、まず、図１２（ａ）に示すように、高齢者の下に使い捨ておむつ１４０を、使い捨ておむつ１４０の着用部材１０の股下部１２が高齢者の両脚の間に来るように敷く。この時、使い捨ておむつ１４０の着用部材１０に配設された背漏れ防止部材８０Ａの紐８２Ａ及び８３Ａは、高齢者の体の左右の外側となるように、例えば使い捨ておむつ１４０の位置を調整する。また、股下部１２に配設された横漏れ防止部材８０Ｂの紐８２Ｂ及び８３Ｂも、それぞれ高齢者の左右の外側となっている。次に、図１２（ｂ）に示すように、拡げられた使い捨ておむつ１４０の着用部材１０の腹当て部１３を上方に持ち上げ、高齢者の腹部を覆うように当接させる。この時、着用部材１０の股下部１１は、高齢者の股下に当接するように折り曲げる。また、着用部材１０の股下部１２に配設された右側の横漏れ防止部材８０Ｂの紐８２Ｂ及び８３Ｂは、それぞれの先端に配設された面ファスナー８１Ａと８１Ｂを止めることにより、着用部材１０の股下部１２と高齢者の右脚周りとの間の隙間を狭めることが可能である。
【００４６】
その後、腹部に当接した腹当て部１３に重ねるように、着用部材１０の尻当て部１１の右側を折り曲げ、尻当て部１１の取り付け具１１Ａ及び１１Ｂを用いて、腹部に当接された腹当て部１３を止める。さらに、左側の横漏れ防止部材８０Ｂは、折り曲げられた股下部１２の形状に合わせて曲げられ、左脚周りの略半周と当接している。また、着用部材１０の尻当て部１１に配設された背漏れ防止部材８０Ａは、折り曲げられている右側の尻当て部１１の形状に合わせて曲げられ、高齢者の腰の右側から中央部分に当接する。さらに、図１０（ｃ）に示すように、着用部材１０の尻当て部１１の左側を折り曲げ、尻当て部１１の取り付け具１１Ｃ及び１１Ｄを用いて、腹部に当接した腹当て部１３と尻当て部１１を止めることにより、着用部材１０が高齢者に着用される。着用部材１０の尻当て部１１に配設された背漏れ防止部材８０Ａは、紐８２Ａ及び８３Ａの先端の面ファスナー８１Ａと８１Ｂを止めることにより、着用部材１０と高齢者の間の隙間をより狭くすることが可能である。また、着用部材１０の股下部１２の左の横漏れ防止部材８０Ｂは、紐８２Ｂ及び８３Ｂの先端の面ファスナー８１Ａ及び８１Ｂを止めることにより、着用部材１０と高齢者の間の隙間をより狭くすることが可能である。以上の動作によって、本考案の第５の実施形態に係る使い捨ておむつ１４０は、高齢者が着用することが可能である。なお、背漏れ防止部材８０Ａ及び横漏れ防止部材８０Ｂの面ファスナー８１Ａ及び８１Ｂは、面ファスナー８１Ａと８１Ｂを止めるだけではなく、面ファスナー８１Ａ及び８１Ｂと使い捨ておむつ１４０の着用部材１０と止めることも可能である。
【００４７】
以上、本考案の第５の実施形態に係る使い捨ておむつ１４０によれば、背漏れ防止部材８０Ａ及び横漏れ防止部材８０Ｂが使い捨ておむつ１４０の着用部材１０のギャザー部材３０に沿って配設されることにより、高齢者と着用部材１０の間の隙間を狭くしている。また、背漏れ防止部材８０Ａ及び横漏れ防止部材８０Ｂの面ファスナー８１Ａと８１Ｂだけではなく、面ファスナー８１Ａ及び８１Ｂと着用部材１０を止めて、着用部材１０と高齢者の体の間の隙間をより狭くすることができる。このことにより、下痢の時でも便が着用部材１０と高齢者の体との間の隙間から、使い捨ておむつ１４０の外側に漏れることを防止することができる。また、面ファスナー８１Ａ及び８１Ｂと着用部材１０を止めることによって、様々な体型の高齢者が簡単に着用することができる。したがって、使い捨ておむつ１４０は、下痢の時でも使い捨ておむつ１４０の着用部材１０と高齢者の体との間の隙間から、便が流出することを防止することができる。
【００４８】
なお、上述の第１乃至第５の実施形態においては、使い捨ておむつ１００、１１０、１２０、１３０及び１４０を、例えば高齢者が着用するものとして説明した。しかし、上述の構成に限定することはなく、使い捨ておむつ１００、１１０、１２０、１３０及び１４０を、例えば乳幼児、入院患者、又はペットが着用するものとして構成しても良い。
【符号の説明】
【００４９】
１０  着用部材
１１  尻当て部
１１Ａ，１１Ｂ，１１Ｃ，１１Ｄ  取り付け具
１２  股下部
１３  腹当て部
２０  吸収部材
３０  ギャザー部材
４０Ａ  背漏れ防止部材
４０Ｂ  横漏れ防止部材
５０Ａ  背漏れ防止部材
５０Ｂ  横漏れ防止部材
５１  凸部
５２  凹部
６０Ａ  背漏れ防止部材
６０Ｂ  横漏れ防止部材
６１Ａ，６１Ｂ  凸部
６２Ａ，６２Ｂ  凹部
６３  漏れ防止部材
６４  凸部
６５  凹部
７０Ａ  背漏れ防止部材
７０Ｂ  横漏れ防止部材
７１  留め具
７２Ａ，７２Ｂ  紐
７３Ａ，７３Ｂ  紐
８０Ａ  背漏れ防止部材
８０Ｂ  横漏れ防止部材
８１Ａ，８１Ｂ  面ファスナー
８２Ａ，８２Ｂ  紐
８３Ａ，８３Ｂ  紐
１００，１１０，１２０，１３０，１４０  使い捨ておむつ
【図１】
0003156818.tif 000003
【図２】
0003156818.tif 000004
【図３】
0003156818.tif 000005
【図４】
0003156818.tif 000006
【図５】
0003156818.tif 000007
【図６】
0003156818.tif 000008
【図７】
0003156818.tif 000009
【図８】
0003156818.tif 000010
【図９】
0003156818.tif 000011
【図１０】
0003156818.tif 000012
【図１１】
0003156818.tif 000013
【図１２】
0003156818.tif 000014